(57)【要約】【課題】通信システムで障害が発生する際の運用状況を自動で再現可能とすることによって、通信システムの障害を早期に解決することができる通信試験システムを提供する。【解決手段】移動通信ネットワークを構成する各商用局１０〜２０自体で運用される局内信号ｘ１〜ｘ６及び、各商用局１０〜２０の間に伝送される局間信号ｙ１〜ｙ６をサーバ２２で受信し、この受信信号ｘ１〜ｘ６及びｙ１〜ｙ６を、各商用局１０〜２０と同機能の各擬似局１０ａ〜２０ａが扱える形式に変換する。擬似信号生成装置２４によって、各商用局１０〜２０の内、ある着目局に接続される１乃至は複数の他局から着目局へ送信される信号を、サーバ２２で変換された局間信号に応じて擬似的に生成する。各擬似局１０ａ〜２０ａで、先に擬似的に生成された擬似信号と、サーバ２２で変換された局内信号とをもとに、各商用局１０〜２０の運用状況を擬似的に再現する。【選択図】      図１
2004312186.tif 000002
【特許請求の範囲】
【請求項１】
通信ネットワークを構成する各種の局の運用状況を再現する通信試験システムにおいて、
前記局と同機能を有する擬似局と、
前記局自体で運用される局内信号及び、前記局の間に伝送される局間信号を受信し、この受信された局内信号及び局間信号を前記擬似局が扱える形式に変換するサーバと、
前記局の内、ある着目局に接続される１乃至は複数の他局から前記着目局へ送信される信号を、前記サーバで変換された局間信号に応じて擬似的に生成する生成手段と
を備え、
前記擬似局は、前記生成手段で擬似的に生成された擬似信号と、前記サーバで変換された局内信号とをもとに、前記通信ネットワークの各種の局の運用状況を擬似的に再現する
ことを特徴とする通信試験システム。
【請求項２】
前記サーバは、前記通信ネットワークから受信した前記局内信号及び前記局間信号の少なくとも一方を記憶する
ことを特徴とする請求項１に記載の通信試験システム。
【請求項３】
通信ネットワークを構成する各種の局自体で運用される局内信号及び、前記局の間に伝送される局間信号を受信する受信手段と、
前記受信手段で受信された局内信号及び局間信号の少なくとも一方を記憶する記憶手段と
を備えたことを特徴とするサーバ。
【請求項４】
通信ネットワークを構成する各種の局の運用状況を再現するための通信試験方法において、
前記局自体で運用される局内信号及び、前記局の間に伝送される局間信号を受信する第１のステップと、
前記第１のステップで受信された局内信号及び局間信号を、前記局と同機能を有する擬似局が扱える形式に変換する第２のステップと、
前記局の内、ある着目局に接続される１乃至は複数の他局から前記着目局へ送信される信号を、前記第２のステップで変換された局間信号に応じて擬似的に生成する第３のステップと、
前記第３のステップで擬似的に生成された擬似信号と、前記第２のステップで変換された局内信号とをもとに、前記通信ネットワークの各種の局の運用状況を擬似的に再現する第４のステップと
を含むことを特徴とする通信試験方法。
【発明の詳細な説明】
【０００１】
【発明の属する技術分野】
本発明は、移動通信ネットワークシステム等の通信システムに発生する障害を解決するために、通信システムを構成する移動無線局、無線基地局、交換局などの各商用局の運用状況を再現する通信試験システム、サーバ及び通信試験方法に関する。
【０００２】
【従来の技術】
従来、通信システムを構成する商用局の障害情報や警報情報を収集して監視することにより、通信システムに発生する障害を検出する通信試験システムがある。この種の従来の通信試験システムとして、例えば特許文献１に記載の「通信ネットワーク自動試験システム」がある。
【０００３】
この特許文献１の内容は、無線区間及び有線区間の無線端末機までの通信路の通信試験を、人手を要さず、かつ、一般通信が少ない時間帯に自動的に判定し、省力化した通信試験を可能にするものである。
即ち、無線区間及び有線区間から無線端末機までの通信路において、複数の伝送方式のビットレート等の通信品質を自動試験する。この自動試験用の送受信装置が、移動通信網の基地局を介して自動試験を行うための送受信を行う。監視制御装置が、移動通信網及び有線通信網での自動試験の監視制御を実行して試験結果を得る。また、自動試験装置が、監視制御装置の監視制御に基づいて、複数の伝送形態である音声通信、非制限デジタル通信、パケット通信におけるそれぞれの通信品質を評価するための自動試験を実行するものである。
【０００４】
【特許文献１】
特開２００２−７７０７０号公報（要約、特許請求の範囲）
【０００５】
【発明が解決しようとする課題】
ところで、従来の通信試験システムにおいては、商用局の障害情報や警報情報を収集して監視することにより障害を検出し、この検出情報から障害を解決することは可能であるが、障害情報や警報情報の種類によっては、障害を解決することができないケースもある。
【０００６】
この種の障害を解決するためには、通信システムで障害が発生する際の運用状況を再現すればよい。しかし、従来の通信試験システム構成では、各商用局自体で運用される信号の情報、及び各商用局間に伝送される信号の情報を、定常的に収集して記憶しておくことができなかった。そこで、障害が発生する際の運用状況を再現する場合、専門の技術者が、各商用局から情報を収集して解析し、各商用局自体で運用される信号の情報、及び各商用局間に伝送される信号の情報などを作成する必要がある。このため、その作成に時間がかかり、再現までに時間を要するので、早期に障害を解決することができないという問題がある。
【０００７】
また、上記特許文献１の内容は、無線基地局からの信号を、基地局を介して試験用の送受信装置で送受信することにより、無線端末機から無線区間及び有線区間に伝送される無線端末機の信号品質（通信品質）を試験するのみなので、無線端末機から無線基地局間の試験は可能であるが、他の通信システムの商用局や商用局間の伝送路などを試験することはできないという問題がある。
【０００８】
本発明は、このような課題に鑑みてなされたものであり、通信システムで障害が発生する際の運用状況を自動で再現可能とすることによって、通信システムの障害を早期に解決することができる通信試験システム、サーバ及び通信試験方法を提供することを目的としている。
【０００９】
【課題を解決するための手段】
上記目的を達成するために、本発明の請求項１による通信試験システムは、通信ネットワークを構成する各種の局の運用状況を再現する通信試験システムにおいて、前記局と同機能を有する擬似局と、前記局自体で運用される局内信号及び、前記局の間に伝送される局間信号を受信し、この受信された局内信号及び局間信号を前記擬似局が扱える形式に変換するサーバと、前記局の内、ある着目局に接続される１乃至は複数の他局から前記着目局へ送信される信号を、前記サーバで変換された局間信号に応じて擬似的に生成する生成手段とを備え、前記擬似局は、前記生成手段で擬似的に生成された擬似信号と、前記サーバで変換された局内信号とをもとに、前記通信ネットワークの各種の局の運用状況を擬似的に再現することを特徴としている。
【００１０】
この構成によれば、擬似局が、実際の局の運用状況を再現する際に、再現対象となる着目局に接続される１乃至は複数の他局から着目局へ送信される信号を、サーバで変換された局間信号に応じて擬似的に生成する。そして、その擬似信号を用いることによって、着目局と同機能を有する擬似局において、他局との信号の遣り取りによる影響を加味することができるので、着目局の実際の局の運用状況を再現することが可能となる。
【００１１】
また、本発明の請求項２による通信試験システムは、請求項１において、前記サーバは、前記通信ネットワークから受信した前記局内信号及び前記局間信号の少なくとも一方を記憶することを特徴としている。
この構成によれば、通信ネットワークを構成する各種の局の運用時に用いられる局内信号及び局間信号の少なくとも一方を記憶しておくことができるので、移動通信ネットワークに発生した障害を綿密に解析する場合などに、その障害に関わる信号を繰り返し読み出して、その解析に役立てることが可能となる。
【００１２】
また、本発明の請求項３によるサーバは、通信ネットワークを構成する各種の局自体で運用される局内信号及び、前記局の間に伝送される局間信号を受信する受信手段と、前記受信手段で受信された局内信号及び局間信号の少なくとも一方を記憶する記憶手段とを備えたことを特徴としている。
この構成によれば、通信ネットワークを構成する各種の局の運用時に用いられる局内信号及び局間信号の少なくとも一方を記憶しておくことができるので、移動通信ネットワークに発生した障害を綿密に解析する場合などに、その障害に関わる信号を繰り返し読み出して、その解析に役立てることが可能となる。
【００１３】
また、本発明の請求項４による通信試験方法は、通信ネットワークを構成する各種の局の運用状況を再現するための通信試験方法において、前記局自体で運用される局内信号及び、前記局の間に伝送される局間信号を受信する第１のステップと、前記第１のステップで受信された局内信号及び局間信号を、前記局と同機能を有する擬似局が扱える形式に変換する第２のステップと、前記局の内、ある着目局に接続される１乃至は複数の他局から前記着目局へ送信される信号を、前記第２のステップで変換された局間信号に応じて擬似的に生成する第３のステップと、前記第３のステップで擬似的に生成された擬似信号と、前記第２のステップで変換された局内信号とをもとに、前記通信ネットワークの各種の局の運用状況を擬似的に再現する第４のステップとを含むことを特徴としている。
【００１４】
この方法によれば、擬似局が、実際の局の運用状況を再現する際に、再現対象となる着目局に接続される１乃至は複数の他局から着目局へ送信される信号を、サーバで変換された局間信号に応じて擬似的に生成する。そして、その擬似信号を用いることによって、着目局と同機能を有する擬似局において、他局との信号の遣り取りによる影響を加味することができるので、着目局の実際の局の運用状況を再現することが可能となる。
【００１５】
【発明の実施の形態】
以下、本発明の実施の形態を、図面を参照して説明する。
（実施の形態）
図１は、本発明の実施の形態に係る通信試験システムの構成を示すブロック図である。
【００１６】
この図１に示す通信試験システムは、携帯電話機等の移動無線局１０と、この移動無線局１０が無線回線にて接続される無線基地局１２と、この無線基地局１２が接続された無線制御局１４と、この無線制御局１４が接続された移動交換局１６と、この移動交換局１６が接続された移動関門局１８と、この移動関門局１８及び移動交換局１６が接続された信号中継局２０とを有する移動通信ネットワークにおいて、信号情報蓄積サーバ（以降、単にサーバともいう）２２と、擬似信号生成装置２４と、擬似局２６とを備えて構成されている。
【００１７】
移動通信ネットワークは、移動無線局１０に移動通信サービスを提供する商用ネットワークであることから、そのネットワークを構成する移動無線局１０、無線基地局１２、無線制御局１４、移動交換局１６、移動関門局１８、及び信号中継局２０の個々を、以降、商用局と呼ぶこともある。
また、各商用局自体で運用される信号（以降、局内信号という）を矢印ｘ１〜ｘ６で示し、各商用局間に伝送される信号（以降、局間信号という）を矢印ｙ１〜ｙ６で示す。
【００１８】
また、局内信号ｘ１〜ｘ６には、各商用局を構成する装置の障害情報や警報情報などの運用状況情報の信号、及び各商用局固有の固定的な運用情報である局情報の信号も含まれるものとする。局間信号ｙ１〜ｙ６には、各商用局間で遣り取りされる制御信号及びユーザ信号も含まれるものとする。
擬似信号生成装置２４は、各商用局１０〜２０において、自商用局に接続される１乃至は複数の他商用局から自商用局へ送信される信号を、後述で説明するサーバ２２からの信号に応じて擬似的に生成するものである。この生成された信号を擬似信号という。
【００１９】
例えば、図２に示す構成例では、移動関門局１８に、他商用局として移動交換局１６及び信号中継局２０が接続されているが、第１の擬似信号生成装置２４ａが移動交換局１６に、第２の擬似信号生成装置２４ｂが信号中継局２０に対応しており、それらの局１６，２０が移動関門局１８へ送信すると同様な擬似信号を、擬似移動関門局１８ａへ送信するようになっている。
【００２０】
図２では、対応関係を明解にする為に、擬似信号生成装置２４を、移動交換局１６及び信号中継局２０の各々に対応する第１及び第２の擬似信号生成装置２４ａ，２４ｂとしたが、図１に示すように、１つの擬似信号生成装置２４で、移動交換局１６及び信号中継局２０の双方の機能を持たせてもよく、全ての商用局１０〜２０の機能を持たせてもよい。
【００２１】
信号情報蓄積サーバ２２は、各商用局１０〜２０で扱われる信号の情報を収集すると共に、各擬似局１０ａ〜２０ａで発生される信号の情報を収集し、商用局と擬似局との各情報の差をもとに、商用局の情報を擬似局が扱える形式に変換して擬似信号生成装置２４へ送信するものであり、図２に示すように構成されている。
【００２２】
即ち、送受信部３０と、第１の信号振分部３２と、第１の記憶部３４と、第２の記憶部３６と、信号変換部３８と、第２の信号振分部４０とを備えて構成されている。
送受信部３０は、各商用局１０〜２０からの局内信号ｘ１〜ｘ６及び局間信号ｙ１〜ｙ６を受信して第１の信号振分部３２へ出力すると共に、それらの局内信号ｘ１〜ｘ６及び局間信号ｙ１〜ｙ６が擬似局２６で扱える形式に変換された信号を、擬似信号生成装置２４（第１及び第２の擬似信号生成装置２４ａ，２４ｂ）へ送信するものである。
【００２３】
第１の信号振分部３２は、送受信部３０で受信された局内信号ｘ１〜ｘ６を第１の記憶部３４へ、局間信号ｙ１〜ｙ６を第２の記憶部３６へ振り分けて出力するものである。
第１の記憶部３４は、第１の信号振分部３２からの局内信号ｘ１〜ｘ６を記憶するものである。
【００２４】
第２の記憶部３６は、第１の信号振分部３２からの局間信号ｙ１〜ｙ６を記憶するものである。
信号変換部３８は、第１及び第２の記憶部３４，３６に記憶された局内信号ｘ１〜ｘ６及び局間信号ｙ１〜ｙ６を読み出して、擬似局２６で扱える形式に変換するものである。以降、その変換された局内信号ｘ１〜ｘ６を変換局内信号、局間信号ｙ１〜ｙ６を変換局間信号という。
【００２５】
第２の信号振分部４０は、信号変換部３８からの変換局内信号が送受信部３０を介して擬似局２６へ送信され、また、変換局間信号が送受信部３０を介して擬似信号生成装置２４（第１及び第２の擬似信号生成装置２４ａ，２４ｂ）に送信されるように振り分けるものである。
擬似局２６は、各商用局１０〜２０と同機能の各擬似局１０ａ〜２０ａを備えるものであり、図３に示すように、擬似移動無線局１０ａ、擬似無線基地局１２ａ、擬似無線制御局１４ａ、擬似移動交換局１６ａ、擬似移動関門局１８ａ、及び擬似信号中継局２０ａを備えて構成されている。
【００２６】
これらの擬似局１０ａ〜２０ａは、擬似信号生成装置２４で生成された擬似信号と、サーバ２２からの変換局内信号をもとに、各商用局１０〜２０での運用状況を擬似的に実行することによって、各商用局１０〜２０の運用状況を自動的に再現するものである。
つまり、各擬似局１０ａ〜２０ａは、上述したように１乃至は複数の他商用局から自商用局へ送信される信号と同様な擬似信号を、擬似信号生成装置２４から受信することによって、実際の各商用局１０〜２０が相互に信号を遣り取りする運用状況と同様な運用状況を再現することが可能なようになっている。
【００２７】
更に説明を加えると、各擬似局１０ａ〜２０ａが、各商用局１０〜２０と同機能を有するのみでは、各商用局１０〜２０が単体で作動している場合の内部信号の生成が可能となるだけである。しかし、上記のように擬似信号生成装置２４からの擬似信号を用いることによって、他局との信号の遣り取りによる影響を加味することができるので、実際の各商用局１０〜２０の運用状況を再現することが可能なようになっている。
【００２８】
次に、このような構成の通信試験システムによる通信試験処理の動作を、図４に示すフローチャートを参照して説明する。但し、各商用局１０〜２０のうち、移動関門局１８の運用状況を再現する場合の動作を説明する。
移動関門局１８は、移動通信サービスを提供する他の事業者との接続を行うものであり、図２に示したように、移動交換局１６及び信号中継局２０と接続されている。
【００２９】
まず、ステップＳ１において、サーバ２２の送受信部３０によって、移動関門局１８からの局内信号ｘ５と、移動交換局１６及び信号中継局２０との局間信号ｙ４，ｙ６が受信される。
この受信信号は、ステップＳ２で、第１の信号振分部３２によって、局内信号ｘ５が第１の記憶部３４へ、局間信号ｙ４，ｙ６が第２の記憶部３６へ出力されるように振り分けられる。
【００３０】
この振り分けられた局内信号ｘ５及び局間信号ｙ４，ｙ６は、ステップＳ３において、局内信号ｘ５が第１の記憶部３４に記憶され、局間信号ｙ４，ｙ６が第２の記憶部３６に記憶される。
これら記憶された局内信号ｘ１〜ｘ６及び局間信号ｙ４，ｙ６は、ステップＳ４において、信号変換部３８によって読み出され、擬似移動関門局１８ａで扱える形式に変換される。
【００３１】
これらの変換信号は、ステップＳ５において、第２の信号振分部４０の振り分け制御によって、変換局内信号ｘ５ａが送受信部３０を介して擬似移動関門局１８ａへ送信され、また、変換局間信号ｙ４ａが送受信部３０を介して第１の擬似信号生成装置２４ａへ、変換局間信号ｙ６ａが送受信部３０を介して第２の擬似信号生成装置２４ｂへ送信される。
【００３２】
ステップＳ６において、第１及び第２の擬似信号生成装置２４ａ，２４ｂでは、局間信号ｙ４，ｙ６の各々に応じて各擬似信号が生成され、擬似移動関門局１８ａへ出力される。
そして、ステップＳ７において、擬似移動関門局１８ａで、それらの擬似信号とサーバ２２からの局内信号ｘ５とをもとに、移動関門局１８での運用状況が擬似的に再現される。この再現によって、障害発生に関わる情報を取得することができる。
【００３３】
このように、本実施の形態の通信試験システムによれば、移動通信ネットワークを構成する各商用局１０〜２０自体で運用される局内信号ｘ１〜ｘ６及び、各商用局１０〜２０の間に伝送される局間信号ｙ１〜ｙ６をサーバ２２で受信する。更に、サーバ２２において、その受信された局内信号ｘ１〜ｘ６及び局間信号ｙ１〜ｙ６を、各商用局１０〜２０と同機能の各擬似局１０ａ〜２０ａが扱える形式に変換する。また、擬似信号生成装置２４によって、各商用局１０〜２０の内、ある着目局に接続される１乃至は複数の他局から着目局へ送信される信号を、サーバ２２で変換された局間信号に応じて擬似的に生成する。そして、各擬似局１０ａ〜２０ａにおいて、擬似信号生成装置２４で擬似的に生成された擬似信号と、サーバ２２で変換された局内信号とをもとに、各商用局１０〜２０の運用状況を擬似的に再現するようにした。
【００３４】
つまり、各擬似局１０ａ〜２０ａが、実際の各商用局１０〜２０の運用状況を再現する際に、再現対象となる着目局に接続される１乃至は複数の他局から着目局へ送信される信号を、サーバ２２で変換された局間信号に応じて擬似的に生成する。そして、その擬似信号を用いることによって、着目局と同機能を有する擬似局において、他局との信号の遣り取りによる影響を加味することができるので、着目局の実際の局の運用状況を再現することが可能となる。
【００３５】
従って、通信システムで障害が発生する際の運用状況を自動で再現することが可能となる。この再現によって、障害発生に関わる情報を即時取得して解析を行うことができるので、通信システムの障害を早期に解決することができる。
また、サーバ２２に、各商用局１０〜２０から受信した局内信号ｘ１〜ｘ６及び局間信号ｙ１〜ｙ６を記憶することができるので、移動通信ネットワークに発生した障害を綿密に解析する場合などに、その障害に関わる信号を繰り返し読み出して、その解析に役立てることが可能となる。
【００３６】
【発明の効果】
以上説明したように本発明は、通信ネットワークを構成する各種の局の運用状況を再現するための通信試験を行う際に、局自体で運用される局内信号及び、局の間に伝送される局間信号を受信し、この受信された局内信号及び局間信号を、局と同機能を有する擬似局が扱える形式に変換する。また、各局の内、ある着目局に接続される１乃至は複数の他局から着目局へ送信される信号を、先に変換された局間信号に応じて擬似的に生成し、この擬似的に生成された擬似信号と、先に変換された局内信号とをもとに、通信ネットワークの各種の局の運用状況を擬似的に再現するようにした。
【００３７】
つまり、擬似局が、実際の局の運用状況を再現する際に、再現対象となる着目局に接続される１乃至は複数の他局から着目局へ送信される信号を、サーバで変換された局間信号に応じて擬似的に生成する。そして、その擬似信号を用いることによって、着目局と同機能を有する擬似局において、他局との信号の遣り取りによる影響を加味することができるので、着目局の実際の局の運用状況を再現することが可能となる。
従って、通信システムで障害が発生する際の運用状況を自動で再現可能とすることによって、通信システムの障害を早期に解決することができるという効果がある。
【図面の簡単な説明】
【図１】本発明の実施の形態に係る通信試験システムの構成を示すブロック図である。
【図２】上記実施の形態に係る通信試験システムにおける信号情報蓄積サーバの構成及び擬似信号生成装置の接続例を示すブロック図である。
【図３】上記実施の形態に係る通信試験システムにおける擬似局の構成を示すブロック図である。
【図４】上記実施の形態に係る通信試験システムによる通信試験処理の動作を説明するためのフローチャートである。
【符号の説明】
１０  移動無線局
１２  無線基地局
１４  無線制御局
１６  移動交換局
１８  移動関門局
２０  信号中継局
１０ａ  擬似移動無線局
１２ａ  擬似無線基地局
１４ａ  擬似無線制御局
１６ａ  擬似移動交換局
１８ａ  擬似移動関門局
２０ａ  擬似信号中継局
２２  信号情報蓄積サーバ
２４  擬似信号生成装置
２６  擬似局
３０  送受信部
３２  第１の信号振分部
３４  第１の記憶部
３６  第２の記憶部
３８  信号変換部
４０  第２の信号振分部
ｘ１〜ｘ６  局内信号
ｙ１〜ｙ６  局間信号
ｘ５ａ  変換局内信号
ｙ４ａ，ｙ６ａ  変換局間信号
【図１】
2004312186.tif 000003
【図２】
2004312186.tif 000004
【図３】
2004312186.tif 000005
【図４】
2004312186.tif 000006